(57)【要約】本発明にかかる通信システムは、コアネットワーク装置（２０）と、管理装置（１０）とを備える。管理装置（１０）は、通信端末（４０）において検知されたセンサ情報を受信する受信部（１１）と、センサ情報が通信端末（４０）が移動していることを示すか否かを判定する判定部（１３）と、センサ情報が通信端末が移動していることを示すと判定された場合、コアネットワーク装置（２０）へ通信端末（４０）に関する通信を停止することを指示する情報を送信する送信部（１２）と、を備える。コアネットワーク装置（２０）は、通信を停止することを指示する情報を受信すると、通信端末（４０）へデータを送信すること及び通信端末（４０）から送信されたデータを他の通信装置へ送信することを停止する通信制御部（２１）と、を有する。
2016152071.tif 000002
【特許請求の範囲】
【請求項１】
コアネットワーク内に配置されるコアネットワーク装置と、前記コアネットワーク装置と通信を行う管理装置とを備える通信システムであって、
前記管理装置は、
通信端末において検知されたセンサ情報を前記コアネットワークを介して受信する受信手段と、前記センサ情報が前記通信端末が移動していることを示すか否かを判定する判定手段と、前記センサ情報が前記通信端末が移動していることを示すと判定された場合、前記コアネットワーク装置へ前記通信端末に関する通信を停止することを指示する情報を送信する送信手段と、を有し、
前記コアネットワーク装置は、
前記通信端末に関する通信を停止することを指示する情報を受信すると、前記通信端末へデータを送信すること及び前記通信端末から送信されたデータを他の通信装置へ送信することを停止する通信制御手段と、を有する、通信システム。
【請求項２】
前記管理装置は、
前記通信端末に関する通信を停止するか否かを判定するために用いる条件を格納する情報格納手段と、
前記センサ情報及び前記コアネットワーク装置から送信された前記通信端末の監視情報の少なくとも一方が、前記情報格納手段に格納されている条件を満たすか否かに応じて前記通信端末に関する通信を停止するか否かを判定する判定手段と、をさらに備える、請求項１に記載の通信システム。
【請求項３】
前記判定手段は、
前記通信端末に関する通信が停止している状態において、前記センサ情報及び前記コアネットワーク装置から送信された前記通信端末の監視情報が前記情報格納手段に格納されている条件を満たさない場合、前記通信端末に関する通信を再開する、請求項２に記載の通信システム。
【請求項４】
前記判定手段は、
前記通信端末が接続するＡＰＮ（Access Point Name）単位もしくはサービスフロー単位に通信を停止するか否かを判定する、請求項２又は３のいずれか１項に記載の通信システム。
【請求項５】
通信端末において検知されたセンサ情報を、コアネットワークを介して受信する受信手段と、
前記センサ情報が前記通信端末が移動していることを示す場合、前記コアネットワーク内に配置されるコアネットワーク装置であって、前記通信端末に関するデータの通信を制御する前記コアネットワーク装置へ、前記通信端末に関する通信を停止することを指示する情報を送信する送信手段と、を備える管理装置。
【請求項６】
前記通信端末に関する通信を停止するか否かを判定するために用いる条件を格納する情報格納手段と、
前記センサ情報及び前記コアネットワーク装置から送信された前記通信端末の監視情報の少なくとも一方が、前記情報格納手段に格納されている条件を満たすか否かに応じて前記通信端末に関する通信を停止するか否かを判定する判定手段と、をさらに備える、請求項５に記載の管理装置。
【請求項７】
前記判定手段は、
前記通信端末に関する通信が停止している状態において、前記センサ情報及び前記コアネットワーク装置から送信された前記通信端末の監視情報が前記情報格納手段に格納されている条件を満たさない場合、前記通信端末に関する通信を再開する、請求項６に記載の管理装置。
【請求項８】
前記判定手段は、
前記通信端末が接続するＡＰＮ（Access Point Name）単位もしくはサービスフロー単位に通信を停止するか否かを判定する、請求項６又は７のいずれか１項に記載の管理装置。
【請求項９】
センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信する通信手段、を備える通信端末。
【請求項１０】
通信端末において検知されたセンサ情報を、コアネットワークを介して受信し、
前記センサ情報が前記通信端末が移動していることを示すか否かを判定し、
前記センサ情報が前記通信端末が移動していることを示すと判定した場合、前記コアネットワーク内に配置されるコアネットワーク装置であって、前記通信端末に関するデータの通信を制御する前記コアネットワーク装置へ、前記通信端末に関する通信を停止することを指示する情報を送信する、通信制御方法。
【請求項１１】
センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信する、センサ情報送信方法。
【請求項１２】
通信端末において検知されたセンサ情報を、コアネットワークを介して受信し、
前記センサ情報が前記通信端末が移動していることを示すか否かを判定し、前記センサ情報が前記通信端末が移動していることを示すと判定した場合、前記コアネットワーク内に配置されるコアネットワーク装置であって、前記通信端末に関するデータの通信を制御する前記コアネットワーク装置へ、前記通信端末に関する通信を停止することを指示する情報を送信することをコンピュータに実行させるプログラムが格納された非一時的なコンピュータ可読媒体。
【請求項１３】
センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信することをコンピュータに実行させるプログラムが格納された非一時的なコンピュータ可読媒体。
【発明の詳細な説明】
【技術分野】
【０００１】
本発明は通信システム、管理装置、通信端末、通信制御方法、センサ情報送信方法及びプログラムに関し、特にセンサ情報を用いた制御を行う通信システム、管理装置、通信端末、通信制御方法、センサ情報送信方法及びプログラムに関する。
【背景技術】
【０００２】
近年、スマートフォンが急速に普及しており、多くのユーザが、スマートフォンを使用している。また、多くのユーザは、スマートフォンを持ち歩き、移動しながらスマートフォンを使用しているケースも見られる。ここで、スマートフォンを使用するユーザのマナー等が問題視されている。さらには、ユーザの転倒や人や物への接触を起こす可能性もあることが問題視されている。例えば、ユーザが、歩きながらもしくは自転車に乗りながらスマートフォンを使用する場合、ユーザの注意がスマートフォンの画面に引き付けられ、ユーザの視野が狭くなる。そのため、スマートフォンを使用するユーザが、周囲の人に接触することや車両に接触することや転倒することも起こり得る。近年、このような、歩きながらもしくは自転車に乗りながらスマートフォンを使用するといったユーザのマナーの悪さや不注意が社会問題化している。【０００３】
そこで、非特許文献１において、ユーザが歩きながらスマートフォンを使用していることを検知した場合、スマートフォンの画面に警告画面を表示することが開示されている。具体的には、スマートフォンにインストールされたアプリケーションが、ユーザが歩きながらスマートフォンを使用していることを検知し、さらに、スマートフォンの画面に警告画面を表示する制御を行うことが記載されている。なお、アプリケーションが歩行停止を検知すると、警告画面が自動的に消えることも記載されている。
【先行技術文献】
【非特許文献】
【０００４】
【非特許文献１】歩きスマホ注意アプリ、[online]、[平成２７年２月２５日検索]、インターネット<URL:http://www.au.kddi.com/mobile/service/smartphone/safety/aruki-sumaho/>
【発明の概要】
【発明が解決しようとする課題】
【０００５】
しかし、非特許文献１には、スマートフォンにインストールされたアプリケーションが、ユーザが歩きながらスマートフォンを使用する行為を検知し、さらに、警告画面を表示することを実現している。そのため、ユーザが、アプリケーションをスマートフォンからアンインストールもしくはアプリケーションの動作を停止した場合、ユーザが歩きながらスマートフォンを使用する行為を検知し、さらに、警告画面を表示することができないという問題がある。【０００６】
本発明の目的は、ユーザが移動しながら通信端末を使用する行為を、ユーザの意思によらず停止させることができる通信システム、管理装置、通信端末、通信制御方法、センサ情報送信方法及びプログラムを提供することにある。
【課題を解決するための手段】
【０００７】
本発明の第１の態様にかかる通信システムは、コアネットワーク内に配置されるコアネットワーク装置と、前記コアネットワーク装置と通信を行う管理装置とを備える通信システムであって、前記管理装置は、通信端末において検知されたセンサ情報を前記コアネットワークを介して受信する受信部と、前記センサ情報が前記通信端末が移動していることを示すか否かを判定する判定部と、前記センサ情報が前記通信端末が移動していることを示すと判定された場合、前記コアネットワーク装置へ前記通信端末に関する通信を停止することを指示する情報を送信する送信部と、を有し、前記コアネットワーク装置は、前記通信端末に関する通信を停止することを指示する情報を受信すると、前記通信端末へデータを送信すること及び前記通信端末から送信されたデータを他の通信装置へ送信することを停止する通信制御部と、を有するものである。【０００８】
本発明の第２の態様にかかる管理装置は、通信端末において検知されたセンサ情報を、コアネットワークを介して受信する受信部と、前記センサ情報が前記通信端末が移動していることを示す場合、前記コアネットワーク内に配置されるコアネットワーク装置であって、前記通信端末に関するデータの通信を制御する前記コアネットワーク装置へ、前記通信端末に関する通信を停止することを指示する情報を送信する送信部と、を備えるものである。【０００９】
本発明の第３の態様にかかる通信端末は、センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信する通信部、を備えるものである。【００１０】
本発明の第４の態様にかかる通信制御方法は、通信端末において検知されたセンサ情報を、コアネットワークを介して受信し、前記センサ情報が前記通信端末が移動していることを示すか否かを判定し、前記センサ情報が前記通信端末が移動していることを示すと判定した場合、前記コアネットワーク内に配置されるコアネットワーク装置であって、前記通信端末に関するデータの通信を制御する前記コアネットワーク装置へ、前記通信端末に関する通信を停止することを指示する情報を送信するものである。【００１１】
本発明の第５の態様にかかるセンサ情報送信方法は、センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信するものである。【００１２】
本発明の第６の態様にかかるプログラムは、通信端末において検知されたセンサ情報を、コアネットワークを介して受信し、前記センサ情報が前記通信端末が移動していることを示すか否かを判定し、前記センサ情報が前記通信端末が移動していることを示すと判定した場合、前記コアネットワーク内に配置されるコアネットワーク装置であって、前記通信端末に関するデータの通信を制御する前記コアネットワーク装置へ、前記通信端末に関する通信を停止することを指示する情報を送信することをコンピュータに実行させるものである。
【発明の効果】
【００１３】
本発明により、ユーザが移動しながら通信端末を使用する行為を、ユーザの意思によらず停止させることができる通信システム、管理装置、通信端末、通信制御方法、センサ情報送信方法及びプログラムを提供することができる。
【図面の簡単な説明】
【００１４】
【図１】実施の形態１にかかる通信システムの構成図である。
【図２】実施の形態２にかかる通信システムの構成図である。
【図３】実施の形態２にかかるＵＥの構成図である。
【図４】実施の形態２にかかるＡｔｔａｃｈ処理の流れを示す図である。
【図５】実施の形態２にかかるイベント測定開始処理の流れを示す図である。
【図６】実施の形態２にかかるイベント検出処理の流れを示す図である。
【図７】実施の形態２にかかるＵＥに関する通信の停止処理の流れを示す図である。
【図８】実施の形態２にかかるＵＥに関する通信の停止処理の流れを示す図である。
【図９】実施の形態２にかかる通信システムの構成図である。
【発明を実施するための形態】
【００１５】
（実施の形態１）
以下、図面を参照して本発明の実施の形態について説明する。はじめに、図１を用いて本発明の実施の形態１にかかる通信システムの構成例について説明する。図１の通信システムは、管理装置１０、コアネットワーク装置２０及び通信端末４０を有している。コアネットワーク装置２０は、コアネットワーク３０内に配置されている。
【００１６】
通信端末４０は、携帯電話端末もしくはスマートフォン等であってもよく、ユーザ等による操作によらず自律的に通信を行うＭ２Ｍ（Machine to Machine）端末であってもよい。
【００１７】
コアネットワーク３０は、例えば、移動通信事業者が管理するネットワークであって、呼処理制御等に用いられるノード装置によって構成されるネットワークであってもよい。また、コアネットワーク装置２０は、コアネットワーク３０を構成するノード装置であってもよい。
【００１８】
管理装置１０は、コアネットワーク装置２０と通信を行う。管理装置１０は、例えば、通信に用いられるプロトコルが予め定められたインタフェースを介してコアネットワーク装置２０と通信を行ってもよい。
【００１９】
次に、管理装置１０の構成例について説明する。管理装置１０は、プロセッサがメモリに格納されたプログラムを実行することによって動作するコンピュータ装置であってもよい。また、管理装置１０は、サーバ装置であってもよい。
【００２０】
管理装置１０は、受信部１１、送信部１２及び判定部１３を有している。受信部１１、送信部１２及び判定部１３は、プロセッサがプログラムを実行することによって処理が実行されるソフトウェアもしくはモジュールであってもよい。また、受信部１１、送信部１２及び判定部１３は、回路等によって構成されてもよい。
【００２１】
受信部１１は、通信端末４０において検知されたセンサ情報を、コアネットワーク３０を介して受信する。例えば、受信部１１は、通信端末４０において検知されたセンサ情報をユーザデータとして受信する。ユーザデータは、Ｕ（User）−Ｐｌａｎｅデータと称されてもよい。コアネットワーク３０を介して受信するとは、コアネットワーク３０において、ユーザデータを伝送するために用いられるコアネットワーク装置２０を介して受信するということであってもよい。
【００２２】
判定部１３は、センサ情報が、通信端末４０が移動していることを示すか否かを判定する。センサ情報は、例えば、通信端末４０を保持しているユーザの位置を示すＧＰＳ情報であってもよく、ユーザの移動速度等を示す速度情報等であってもよい。例えば、判定部１３は、ＧＰＳ（Global Positioning System）情報によって示されている位置が、前回受信したＧＰＳ情報によって示されている位置と、所定の距離離れている場合、通信端末４０が移動していることを示していると判定してもよい。もしくは、判定部１３は、速度情報によって示されている情報が、所定の速度以上の値を示す場合、通信端末４０が移動していることを示していると判定してもよい。
【００２３】
送信部１２は、受信部１１において受信したセンサ情報が、通信端末４０が移動していることを示す場合、コアネットワーク装置２０へ通信端末４０に関する通信を停止することを指示する情報を送信する。通信端末４０に関する通信は、例えば、音声データを送受信する音声通信であってもよく、テキスト情報、画像情報もしくは動画情報等を送受信するデータ通信であってもよい。
【００２４】
次に、コアネットワーク装置２０の構成例について説明する。コアネットワーク装置２０は、通信制御部２１及び通信部２２を有している。通信部との用語は、送受信部と称されてもよい。通信制御部２１は、通信部２２を介して、管理装置１０から通信端末４０に関する通信を停止することを指示する情報を受信する。通信制御部２１は、通信端末４０に関する通信を停止することを指示する情報を受信すると、通信端末４０へデータを送信すること及び通信端末４０から送信されたデータを他の通信装置へ送信することを停止する。
【００２５】
例えば、通信制御部２１は、通信端末４０を宛先とするデータを受信した場合、受信したデータを破棄もしくは廃棄してもよく、通信端末４０を送信元とするデータを受信した場合、受信したデータを破棄もしくは廃棄してもよい。
【００２６】
以上説明したように、図１の通信システムを用いることによって、管理装置１０及びコアネットワーク３０は、移動中である通信端末４０の通信を継続することを防止することができる。また、通信端末４０は、コアネットワーク３０によって通信端末４０に関するデータの伝送を停止させられる。つまり、通信端末４０は、ネットワーク側の制御によって通信端末４０に関するデータの伝送を停止させられる。そのため、通信端末４０に関する通信は、通信端末４０を操作するユーザの意思によらず停止させられる。これより、ユーザが移動しながら通信端末４０を操作する行為をユーザの意思によらず停止させることができる。
【００２７】
（実施の形態２）
続いて、図２を用いて本発明の実施の形態２にかかる通信システムの構成例について説明する。図２の通信システムは、ＵＥ（User Equipment）５１、ｅＮＢ（evolved NodeB）５２、ＭＭＥ（Mobility Management Entity）５３、ＳＧＷ（Serving Gateway）５４、ＰＧＷ（Packet Data Network Gateway）５５、ＨＳＳ（Home Subscriber Server）５６、ＳＣＥＦ（Service Creation Environment Function）５７、ＰＣＲＦ（Policy and Charging Rules Function）５８及び管理サーバ１５を有している。
【００２８】
ｅＮＢ５２、ＭＭＥ５３、ＳＧＷ５４、ＰＧＷ５５、ＨＳＳ５６、ＳＣＥＦ５７及びＰＣＲＦ５８は、ＥＰＳ（Evolved Packet System）を構成する。また、管理サーバ１５は、図１の管理装置１０に相当する。
【００２９】
ＵＥ５１は、３ＧＰＰ（3rd Generation Partnership Project）における移動通信端末の総称である。ＵＥ５１は、図１の通信端末４０に相当する。ｅＮＢ５２は、３ＧＰＰにおいて規定された無線通信方式であるＬＴＥ（Long Term Evolution）に対応した基地局装置である。
【００３０】
ＭＭＥ５３は、ＵＥ５１に関する呼処理を制御するノード装置である。具体的には、ＭＭＥ５３は、ＵＥ５１が通信を行う際に使用するＳＧＷ５４及びＰＧＷ５５を選択する。また、ＭＭＥ５３は、ＨＳＳ５６に格納されているＵＥ５１の加入者情報を取得し、加入者情報を用いて呼処理を行う。また、ＭＭＥ５３によって呼処理を制御する際に用いられるデータは、制御データもしくはＣ（Control）−Ｐｌａｎｅデータと称されてもよい。
【００３１】
ＳＧＷ５４及びＰＧＷ５５は、ＵＥ５１に関するユーザデータを伝送する。ユーザデータは、Ｕ−Ｐｌａｎｅデータと称されてもよい。ＨＳＳ５６は、ＵＥ５１を含む複数のＵＥに関する加入者データを管理する。
【００３２】
ＳＣＥＦ５７は、管理サーバ１５等が要求するサービスを実行する際に、管理サーバ１５に関する認証処理等を実行する装置である。ＰＣＲＦ５８は、ＥＰＳにおけるポリシー制御もしくは課金制御を行う装置である。
【００３３】
オペレータサービスネットワーク６１は、ＥＰＳを管理する通信事業者等が提供するサービスを実行するノード装置によって構成されるネットワークである。例えば、通信事業者等が提供するサービスは、音声通信に関する呼制御を行うＩＭＳ（IP Multimedia Subsystem）であってもよい。ＩＭＳを構成するノード装置は、例えば、ＣＳＣＦ（Call Session Control Function）等であってもよい。
【００３４】
外部サービスネットワーク６２は、ＥＰＳと異なるネットワークであり、いわゆるインターネット等であってもよい。もしくは、外部サービスネットワーク６２は、ＥＰＳを管理する通信事業者とは異なる通信事業者が管理するネットワークであってもよい。
【００３５】
続いて、図３を用いて、ＵＥ５１の構成例について説明する。ＵＥ５１は、プロセッサがメモリに格納されているプログラムを実行することによって処理が実行されるコンピュータ装置であってもよい。ＵＥ５１は、重力・ジャイロセンサ７１、速度・加速度センサ７２、測位装置７３、背景ノイズセンサ７４、挙動監視アプリケーション７５、画面制御部７６及び通信部７７を有している。挙動監視アプリケーション７５、画面制御部７６及び通信部７７は、プロセッサがメモリに格納されているプログラムを実行することによって処理が実行されるソフトウェアもしくはモジュールであってもよい。画面制御部７６及び通信部７７は、回路によって構成されてもよい。
【００３６】
重力・ジャイロセンサ７１は、例えば、ＵＥ５１の傾き、振動、回転等を検知するセンサである。速度・加速度センサ７２は、例えば、ＵＥ５１の移動速度等を検知するセンサである。測位装置７３は、例えば、ＧＰＳを用いてＵＥ５１の位置を測位するセンサである。背景ノイズセンサ７４は、例えば、ＵＥ５１の周囲に流れている音声を検知するセンサである。
【００３７】
重力・ジャイロセンサ７１、速度・加速度センサ７２、測位装置７３及び背景ノイズセンサ７４は、検知したセンサ情報を挙動監視アプリケーション７５へ出力する。
【００３８】
挙動監視アプリケーション７５は、受け取ったセンサ情報を分析し、ＵＥ５１の挙動を特定する。例えば、挙動監視アプリケーション７５は、重力・ジャイロセンサ７１から出力された情報を用いて、歩行時に検知される振動か、自転車に乗っているときに検知される振動かを分析してもよい。さらに、挙動監視アプリケーション７５は、速度・加速度センサ７２から出力された移動速度に関する情報と、重力・ジャイロセンサ７１から出力された振動に関する情報とを用いて、ＵＥ５１を保持しているユーザが歩行しているか自転車に乗っているかを特定してもよい。
【００３９】
また、挙動監視アプリケーション７５は、背景ノイズセンサ７４から出力された音声に関する情報を分析し、ＵＥ５１の周囲の状況を推定してもよい。例えば、背景ノイズセンサ７４から出力された音声に、定期的に駅名のアナウンスが含まれていれば、ＵＥ５１を保持するユーザは、電車によって移動中であると推定してもよい。
【００４０】
挙動監視アプリケーション７５は、分析した情報もしくは各種センサから出力されたセンサ情報を通信部７７を介して管理サーバ１５へ送信する。
【００４１】
画面制御部７６は、挙動監視アプリケーション７５の分析結果において、ＵＥ５１を保持するユーザに対して、ＵＥ５１の使用の停止等を通知する必要が生じた場合、ＵＥ５１の画面に警告メッセージを表示させる。
【００４２】
通信部７７は、ｅＮＢ５２との間において無線通信を行うことによって、データの送受信を行う。例えば、通信部７７は、挙動監視アプリケーション７５から出力された分析情報もしくはセンサ情報等をＥＰＳを介して管理サーバ１５へ送信する。通信部７７は、ｅＮＢ５２との間において、通信方式としてＬＴＥを用いて無線通信を行ってもよい。
【００４３】
続いて、図４を用いて本発明の実施の形態２にかかるＡｔｔａｃｈ処理の流れについて説明する。はじめに、ＵＥ５１は、電源がＯＮ状態へ遷移した場合等に、Attach Requestメッセージを、ｅＮＢ５２を介してＭＭＥ５３へ送信する（Ｓ１１）。次に、ＭＭＥ５３は、ＵＥ５１に関する加入者情報を取得するために、Update Location RequestメッセージをＨＳＳ５６へ送信する（Ｓ１２）。
【００４４】
次に、ＨＳＳ５６は、Update Location Requestメッセージに対する応答として、Update Location AckメッセージをＭＭＥ５３へ送信する（Ｓ１３）。ＨＳＳ５６は、Update Location Ackメッセージに、管理サーバ１５に接続可能なＡＰＮ（Access Point Name）情報を設定する。
【００４５】
次に、ＭＭＥ５３は、ＵＥ５１に関するユーザデータを中継するＳＧＷ５４及びＰＧＷ５５を選択し、ＳＧＷ５４へCreate Session Requestメッセージを送信する（Ｓ１４）。さらに、ＳＧＷ５４は、受信したCreate Session RequestメッセージをＰＧＷ５５へ送信する（Ｓ１４）。
【００４６】
次に、ＰＧＷ５５は、ＰＣＲＦ５８との間において、ＵＥ５１に関するデータ伝送において適用するＱｏＳ（Quality of Service）の設定処理を行う（Ｓ１５）。言い換えると、ＰＧＷ５５は、ＰＣＲＦ５８との間において、ＵＥ５１に関するデータ伝送において適用するＱｏＳ値を決定するための交渉処理を行う。
【００４７】
次に、ＰＧＷ５５は、Create Session Requestメッセージに対する応答として、Create Session ResponseメッセージをＳＧＷ５４へ送信する（Ｓ１６）。さらに、ＳＧＷ５４は、受信したCreate Session ResponseメッセージをＭＭＥ５３へ送信する（Ｓ１６）。
【００４８】
次に、ＭＭＥ５３、ｅＮＢ５２及びＵＥ５１は、ＵＥ５１とｅＮＢ５２との間における無線設定処理を行う（Ｓ１７）。ＭＭＥ５３は、ステップＳ１７の無線設定処理において、ステップＳ１３において受信した管理サーバ１５に接続可能なＡＰＮ情報をＵＥ５１へ通知してもよい。次に、ＭＭＥ５３は、ＵＥ５１とｅＮＢ５２との間の無線設定処理を完了すると、ＳＧＷ５４へModify Bearer Requestメッセージを送信する（Ｓ１８）。次に、ＳＧＷ５４は、Modify Bearer Requestメッセージに対する応答として、Modify Bearer ResponseメッセージをＭＭＥ５３へ送信する（Ｓ１９）。
【００４９】
ステップＳ１１〜Ｓ１９までの処理を実行することによって、ＵＥ５１とＰＧＷ５５との間にユーザデータを送受信するための経路もしくはトンネルが設定される。そのため、ＵＥ５１は、ＰＧＷ５５を介して管理サーバ１５と通信を行うことができる状態となる（Ｓ２０）。例えば、ＵＥ５１は、ステップＳ１１〜Ｓ１９までの処理が実行された後に、挙動監視アプリケーション７５において生成された分析情報もしくはセンサ情報等をＥＰＳを介して管理サーバ１５へ送信することができる。
【００５０】
図４においては、ＵＥ５１が管理サーバ１５との間の通信を可能とするためのＡｔｔａｃｈ処理の流れについて説明したが、ＵＥ５１は、ＩＭＳもしくはインターネット通信等を可能にするための処理についても同様に行ってよい。もしくは、図４で示す、ＵＥ５１が管理サーバ１５との間の通信を可能とするためのＡｔｔａｃｈ処理を行う事で、同時にＩＭＳもしくはインターネット通信等が可能となってもよい。
【００５１】
続いて、図５を用いて本発明の実施の形態２にかかるイベント測定開始処理の流れについて説明する。本図においては、3GPP TR23.789 V1.0.0 (2014-12) 6.3に記載されている端末のMonitoring処理を利用する。本図においては、管理サーバ１５が、ＵＥ５１を保持するユーザによる歩行中のＵＥ５１の使用を検出するための事前処理の流れについて説明する。
【００５２】
はじめに、管理サーバ１５は、ＵＥ５１が歩行中であるか否かを監視することをＥＰＳへ要求するために、Monitoring RequestメッセージをＳＣＥＦ５７へ送信する（Ｓ３１）。次に、ＳＣＥＦ５７は、ＵＥ５１の監視内容として、例えば、ＵＥ５１の位置情報の変化を監視することを指示するSubmit RequestメッセージをＭＭＥ５３へ送信する（Ｓ３２）。ＳＣＥＦ５７は、Submit Requestメッセージを、ＨＳＳ５６を介してＭＭＥ５３へ送信してもよい。次に、ＳＣＥＦ５７は、Monitoring Requestメッセージに対する応答として、Monitoring Responseメッセージを管理サーバ１５へ送信する（Ｓ３３）。次に、ＭＭＥ５３は、Submit Requestメッセージに対する応答として、Submit ResponseメッセージをＳＣＥＦ５７へ送信する（Ｓ３４）。
【００５３】
次に、ＭＭＥ５３は、Submit Requestメッセージを受信すると、ＵＥ５１に関するイベント測定を開始する（Ｓ３５）。イベント測定とは、例えば、ＵＥ５１が移動しているか否かを監視することであってもよい。例えば、ＵＥ５１が在圏しているGlobal Cell IDの変化、ＴＡ（Tracking Area）の変化もしくはＲＡ（Routing Area）の変化等をＭＭＥ５３が検知することによって、ＵＥ５１の移動を検知してもよい。つまり、ステップＳ３５においてイベント測定が開始されることによって、ＭＭＥ５３は、ＵＥ５１の位置が変化しているか否かを監視する。
【００５４】
続いて、図６を用いて本発明の実施の形態２にかかるイベント検出処理の流れについて説明する。はじめに、ＭＭＥ５３は、Global Cell IDの変化、ＴＡの変化もしくはＲＡの変化等によって、ＵＥ５１が移動したとするイベントを検出する（Ｓ４１）。次に、ＭＭＥ５３は、ＵＥ５１が移動したとするイベントを検出すると、イベントの検出結果を設定したEvent ReportメッセージをＳＣＥＦ５７へ送信する（Ｓ４２）。ＭＭＥ５３は、Event Reportメッセージを、ＨＳＳ５６を介してＳＣＥＦ５７へ送信してもよい。次に、ＳＣＥＦ５７は、ＭＭＥ５３から送信されたEvent Reportメッセージを管理サーバ１５へ送信する（Ｓ４３）。
【００５５】
続いて、図７を用いて本発明の実施の形態２にかかるＵＥ５１に関する通信の停止処理の流れについて説明する。はじめに、管理サーバ１５は、ＳＣＥＦ５７から送信されたイベントの検出結果、さらに、図４のステップＳ２０において、ＵＥ５１と通信可能状態となった後に、ＵＥ５１から送信されたセンサ情報の分析結果等を用いて、ＵＥ５１に関する通信を停止することを決定する（Ｓ５１）。例えば、管理サーバ１５は、ＵＥ５１から送信されたセンサ情報の分析結果において歩行中であることが示され、さらに、ＳＣＥＦ５７から送信されたイベントの検出結果においてもＵＥ５１の移動が確認された場合に、ＵＥ５１を保持するユーザが歩行中であると判定し、ＵＥ５１に関する通信を停止（Suspend）することを決定してもよい。
【００５６】
例えば、管理サーバ１５は、ＳＣＥＦ５７から送信されたイベントの検出結果においてＵＥ５１の移動が確認されるが、ＵＥ５１から送信されたセンサ情報の分析結果において電車によって移動中であることが示されている場合、ＵＥ５１に関する通信を継続すると決定してもよい。
【００５７】
次に、管理サーバ１５は、ＵＥ５１に関する通信を停止することを指示するSuspend RequestメッセージをＳＣＥＦ５７へ送信する（Ｓ５２）。管理サーバ１５は、例えば、ＵＥ５１が接続するＡＰＮ単位に停止する通信を決定してもよく、送信元及び送信先ＩＰアドレスもしくはポート番号等によって識別されるサービスフロー単位に停止する通信を決定してもよい。管理サーバ１５は、通信停止の対象となるＡＰＮもしくはサービスフローをSuspend Requestメッセージに設定する（Ｓ５２）。
【００５８】
例えば、管理サーバ１５は、ＡＰＮとしてＩＭＳが指定されている音声通信については、通信停止の対象とはせず、ＡＰＮとして外部サービスネットワーク６２が指定されている場合、通信を停止するとしてもよい。つまり、ユーザが、視野を確保することができる音声通信においては通信停止の対象から除外してもよい。
【００５９】
また、管理サーバ１５は、時間帯に応じてＵＥ５１に関する通信を許可するか否かを決定してもよい。例えば、管理サーバ１５は、ユーザの仕事時間もしくは授業時間に該当する９時〜１２時、１３時〜１７時においては、ＵＥ５１に関する通信を停止（Suspend）することを決定してもよい。また、管理サーバ１５は、ＵＥ５１に関する通信を停止するか否かについて、複数の判定基準を組み合わせてもよい。
【００６０】
次に、ＳＣＥＦ５７は、通信停止の対象となるＡＰＮもしくはサービスフローが設定されたSuspend RequestメッセージをＰＣＲＦ５８へ送信する（Ｓ５３）。ＳＣＥＦ５７は、通信停止の対象となるＡＰＮを制御するＰＣＲＦ５８が複数存在する場合、複数のＰＣＲＦ５８へSuspend Requestメッセージを送信してもよい。次に、ＰＣＲＦ５８は、受信したSuspend Requestメッセージに設定された通信停止の対象となるＡＰＮもしくはサービスフローを設定したPCC rule provisioningメッセージをＰＧＷ５５へ送信する（Ｓ５４）。ＰＣＲＦ５８は、通信停止の対象となるＡＰＮを制御するＰＧＷ５５が複数存在する場合、複数のＰＧＷ５５へPCC rule provisioningメッセージを送信してもよい。
【００６１】
次に、ＰＧＷ５５は、PCC rule provisioningメッセージに対する応答として、AckメッセージをＰＣＲＦ５８へ送信する（Ｓ５５）。次に、ＰＣＲＦ５８は、Suspend Requestメッセージに対する応答としてResponseメッセージをＳＣＥＦ５７へ送信する（Ｓ５６）。次に、ＳＣＥＦ５７は、Suspend Requestメッセージに対する応答としてResponseメッセージを管理サーバ１５へ送信する（Ｓ５７）。
【００６２】
ＰＧＷ５５は、ステップＳ５４において受信したPCC rule provisioningメッセージに設定された通信停止の対象となるＡＰＮもしくはサービスフローに該当する通信を停止する。
【００６３】
また、図７においては、管理サーバ１５が、ＵＥ５１に関する通信を停止した後に、Suspend RequestメッセージをＳＣＥＦ５７へ送信する例について説明しているが、管理サーバ１５は、ステップＳ５１において停止されているＵＥ５１に関する通信を再開（Resume）することを決定してもよい。この場合、管理サーバ１５は、Resume RequestメッセージをＳＣＥＦ５７へ送信し、ＳＣＥＦ５７も、Resume RequestメッセージをＰＣＲＦ５８へ送信する。
【００６４】
また、管理サーバ１５とＰＣＲＦ５８との間において送受信されるSuspend Requestメッセージ及びResume Requestメッセージは、３ＧＰＰにおいて規定されているQoS Requestメッセージが用いられてもよい。
【００６５】
以上、図７を用いて本発明の実施の形態２にかかるＵＥ５１に関する通信の停止処理の流れについて説明したが、この処理と並行して管理サーバ１５は、通信の規制状態、つまり、通信が停止されたか、あるいは再開されたかなどを含む情報をＵＥ５１に向けて通知してもよい。ＵＥ５１を保持するユーザは、管理サーバ１５からＵＥ５１に向けて通知された情報をもとに画面制御部７６が行う画面警告メッセージを通じ、通信規制状態を確認する事ができる。
【００６６】
続いて、図８を用いて図７とは異なる本発明の実施の形態２にかかるＵＥ５１に関する通信の停止処理の流れについて説明する。図８は、管理サーバ１５が、ＵＥ５１に関する特定のサービスを停止する場合の処理の流れについて示している。特定のサービスは、例えば、ＩＭＳによって呼処理の制御が行われる音声サービスとする。また、図８のＡＦ（Application Function）サーバは、ＩＭＳを構成するサーバとする。
【００６７】
ステップＳ６１〜Ｓ６３は、図７のステップＳ５１〜Ｓ５３と同様であるため詳細な説明を省略する。また、ステップＳ６２及びＳ６３においては、通信停止の対象となるＡＰＮとして、ＩＭＳが指定されているとする。
【００６８】
ＰＣＲＦ５８は、ＳＣＥＦ５７からSuspend Requestメッセージを受信すると、通信停止の対象となるＩＭＳを構成するサーバであるＡＦサーバへ、Suspend Notificationメッセージを送信する（Ｓ６４）。次に、ＡＦサーバは、Suspend Notificationメッセージに対する応答としてAckメッセージをＰＣＲＦ５８へ送信する（Ｓ６５）。次に、ＰＣＲＦ５８は、Suspend Requestメッセージに対する応答としてResponseメッセージをＳＣＥＦ５７へ送信する（Ｓ６６）。次に、ＳＣＥＦ５７は、Suspend Requestメッセージに対する応答としてResponseメッセージを管理サーバ１５へ送信する（Ｓ６７）。
【００６９】
ＡＦサーバは、ステップＳ６４において受信したSuspend notificationメッセージに設定された通信停止の対象となる通信を停止する。例えば、ＡＦサーバは、音声通信を停止することを決定した場合、発信者に対して、着信者であるＵＥ５１が現在移動中であることを通知し、発信処理を継続するか否かを選択させるメッセージを送信してもよい。
【００７０】
また、図８においては、図７と同様に、停止されているＵＥ５１に関する通信を再開（Resume）する処理が実行されてもよい。この場合、ステップＳ６２及びＳ６３においては、Resume Requestメッセージが送信される。また、ステップＳ６４においては、Resume notificationメッセージが送信される。
【００７１】
以上、図８を用いて本発明の実施の形態２にかかるＵＥ５１に関する通信の停止処理の流れについて説明したが、この処理と並行して管理サーバ１５は、通信の規制状態、つまり、通信が停止されたか、あるいは再開されたかなどを含む情報をＵＥ５１に向けて通知してもよい。ＵＥ５１を保持するユーザは、管理サーバ１５からＵＥ５１に向けて通知された情報をもとに画面制御部７６が行う画面警告メッセージを通じ、通信規制状態を確認する事ができる。
【００７２】
以上説明したように、図２の通信システムを用いることによって、管理サーバ１５は、３ＧＰＰにおいて規定されたネットワークから送信されたイベント情報及びＵＥ５１において生成された分析情報を用いてＵＥ５１が歩行中であるか否かを検出し、ＵＥ５１に関する通信を停止することができる。
【００７３】
また、実施の形態２においては、ＥＰＳにおいて検出するイベント情報及びＵＥ５１において生成された分析情報を用いることによって、実施の形態１と比較して、ＵＥ５１の行動を詳細に分析することができる。
【００７４】
また、管理サーバ１５は、通信を停止させたＵＥを再開することもできる。これより、ＵＥの通信を停止及び再開させる制御を、ネットワーク側主導により制御することができる。
【００７５】
また、実施の形態２においては、ｅＮＢ５２、ＭＭＥ５３、ＳＧＷ５４及びＰＧＷ５５を用いたＥＰＳ（Evolved Packet System）の構成を示したが、ＥＰＳの代わりに、図９に示すＲＮＣ（Radio Network Controller）８１、ＳＧＳＮ（Serving General packet radio service Support Node）８２及びＧＧＳＮ（Gateway General packet radio service Support Node）８３とするいわゆる第３世代無線アクセスシステムを収容することができるネットワークが用いられてもよい。
【００７６】
上述の実施の形態では、本発明をハードウェアの構成として説明したが、本発明は、これに限定されるものではない。本発明は、通信端末４０（例えば、ＵＥ５１）、管理装置１０（例えば、管理サーバ１５）もしくはコアネットワーク３０（例えば、コアネットワーク装置２０）における処理を、ＣＰＵ（Central Processing Unit）にコンピュータプログラムを実行させることにより実現することも可能である。
【００７７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
なお、本発明は上記実施の形態に限られたものではなく、趣旨を逸脱しない範囲で適宜変更することが可能である。
【００７９】
以上、実施の形態を参照して本願発明を説明したが、本願発明は上記によって限定されるものではない。本願発明の構成や詳細には、発明のスコープ内で当業者が理解し得る様々な変更をすることができる。
【００８０】
この出願は、２０１５年３月２０日に出願された日本出願特願２０１５−０５７３４６を基礎とする優先権を主張し、その開示の全てをここに取り込む。
【符号の説明】
【００８１】
１０  管理装置
１１  受信部
１２  送信部
１３  判定部
１５  管理サーバ
２０  コアネットワーク装置
２１  通信制御部
２２  通信部
３０  コアネットワーク
４０  通信端末
５１  ＵＥ
５２  ｅＮＢ
５３  ＭＭＥ
５４  ＳＧＷ
５５  ＰＧＷ
５６  ＨＳＳ
５７  ＳＣＥＦ
５８  ＰＣＲＦ
６１  オペレータサービスネットワーク
６２  外部サービスネットワーク
７１  重力・ジャイロセンサ
７２  速度・加速度センサ
７３  測位装置
７４  背景ノイズセンサ
７５  挙動監視アプリケーション
７６  画面制御部
７７  通信部
８１  ＲＮＣ
８２  ＳＧＳＮ
８３  ＧＧＳＮ
【図１】
2016152071.tif 000003
【図２】
2016152071.tif 000004
【図３】
2016152071.tif 000005
【図４】
2016152071.tif 000006
【図５】
2016152071.tif 000007
【図６】
2016152071.tif 000008
【図７】
2016152071.tif 000009
【図８】
2016152071.tif 000010
【図９】
2016152071.tif 000011
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
コアネットワーク内に配置されるコアネットワーク装置と、前記コアネットワーク装置と通信を行う管理装置とを備える通信システムであって、
前記管理装置は、
通信端末において検知されたセンサ情報を前記コアネットワークを介して受信する受信手段と、前記センサ情報が前記通信端末が移動していることを示すか否かを判定する判定手段と、前記センサ情報が前記通信端末が移動していることを示すと判定された場合、前記コアネットワーク装置へ前記通信端末に関する通信を停止することを指示する情報を送信する送信手段と、を有し、
前記コアネットワーク装置は、
前記通信端末に関する通信を停止することを指示する情報を受信すると、前記通信端末へデータを送信すること及び前記通信端末から送信されたデータを他の通信装置へ送信することを停止する通信制御手段と、を有する、通信システム。
【請求項２】
前記管理装置は、
前記通信端末に関する通信を停止するか否かを判定するために用いる条件を格納する情報格納手段と、
前記センサ情報及び前記コアネットワーク装置から送信された前記通信端末の監視情報の少なくとも一方が、前記情報格納手段に格納されている条件を満たすか否かに応じて前記通信端末に関する通信を停止するか否かを判定する判定手段と、をさらに備える、請求項１に記載の通信システム。
【請求項３】
前記判定手段は、
前記通信端末に関する通信が停止している状態において、前記センサ情報及び前記コアネットワーク装置から送信された前記通信端末の監視情報が前記情報格納手段に格納されている条件を満たさない場合、前記通信端末に関する通信を再開する、請求項２に記載の通信システム。
【請求項４】
前記判定手段は、
前記通信端末が接続するＡＰＮ（Access Point Name）単位もしくはサービスフロー単位に通信を停止するか否かを判定する、請求項２又は３に記載の通信システム。
【請求項５】
通信端末において検知されたセンサ情報を、コアネットワークを介して受信する受信手段と、
前記センサ情報が前記通信端末が移動していることを示す場合、前記コアネットワーク内に配置されるコアネットワーク装置であって、前記通信端末に関するデータの通信を制御する前記コアネットワーク装置へ、前記通信端末に関する通信を停止することを指示する情報を送信する送信手段と、を備える管理装置。
【請求項６】
前記通信端末に関する通信を停止するか否かを判定するために用いる条件を格納する情報格納手段と、
前記センサ情報及び前記コアネットワーク装置から送信された前記通信端末の監視情報の少なくとも一方が、前記情報格納手段に格納されている条件を満たすか否かに応じて前記通信端末に関する通信を停止するか否かを判定する判定手段と、をさらに備える、請求項５に記載の管理装置。
【請求項７】
前記判定手段は、
前記通信端末に関する通信が停止している状態において、前記センサ情報及び前記コアネットワーク装置から送信された前記通信端末の監視情報が前記情報格納手段に格納されている条件を満たさない場合、前記通信端末に関する通信を再開する、請求項６に記載の管理装置。
【請求項８】
前記判定手段は、
前記通信端末が接続するＡＰＮ（Access Point Name）単位もしくはサービスフロー単位に通信を停止するか否かを判定する、請求項６又は７に記載の管理装置。
【請求項９】
センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信する通信手段、を備える通信端末。
【請求項１０】
通信端末において検知されたセンサ情報を、コアネットワークを介して受信し、
前記センサ情報が前記通信端末が移動していることを示すか否かを判定し、
前記センサ情報が前記通信端末が移動していることを示すと判定した場合、前記コアネットワーク内に配置されるコアネットワーク装置であって、前記通信端末に関するデータの通信を制御する前記コアネットワーク装置へ、前記通信端末に関する通信を停止することを指示する情報を送信する、通信制御方法。
【請求項１１】
センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信する、センサ情報送信方法。
【請求項１２】
通信端末において検知されたセンサ情報を、コアネットワークを介して受信し、
前記センサ情報が前記通信端末が移動していることを示すか否かを判定し、前記センサ情報が前記通信端末が移動していることを示すと判定した場合、前記コアネットワーク内に配置されるコアネットワーク装置であって、前記通信端末に関するデータの通信を制御する前記コアネットワーク装置へ、前記通信端末に関する通信を停止することを指示する情報を送信することをコンピュータに実行させるプログラム。
【請求項１３】
センサ情報を用いて移動中の通信端末に関する通信を停止することを判定し、判定結果をコアネットワーク内に配置されるコアネットワーク装置であって、前記通信端末に関する通信を制御するコアネットワーク装置へ送信する管理装置に対して、自装置において検知したセンサ情報を、前記コアネットワークを介して送信することをコンピュータに実行させるプログラム。
【国際調査報告】
2016152071.tif 000012
2016152071.tif 000013
2016152071.tif 000014
2016152071.tif 000015